(57)【要約】      （修正有）【課題】組み立てに際し、暗箱と回路基板との間に位置ずれが生じるのを防ぐことができる煙感知器を提供する、又、嵌合金具の取り付けを容易に行うことができる煙感知器を提供する。【解決手段】火災によって発生した煙を光学的に検出する煙検知手段を格納する暗箱を備えた煙感知器において、暗箱を構成する光学台４に回路基板３を収納する凹形状の回路基板収納部４ｅを設けたことを特徴とし、又、光学台４にナット８を収納する凹形状のナット収納部９を更に設けたことを特徴とする。【選択図】図３
2014197274.tif 000002
【特許請求の範囲】
【請求項１】
火災によって発生した煙を光学的に検出する煙検知手段を格納する暗箱を備えた煙感知器において、
前記暗箱を構成する光学台に回路基板を収納する凹形状の回路基板収納部を設けたことを特徴とする煙感知器。
【請求項２】
前記光学台にナットを収納する凹形状のナット収納部を更に設けたことを特徴とする請求項１に記載の煙感知器。
【請求項３】
前記回路基板収納部は、前記ナット収納部に収納されるナットを回路基板で覆うように回路基板を収納するものであることを特徴とする請求項２に記載の煙感知器。
【発明の詳細な説明】
【技術分野】
【０００１】
この発明は、煙を光学的に感知する煙感知器に関する。
【背景技術】
【０００２】
火災発生時の煙を感知する煙感知器において、煙を光学的に検知するタイプのものが広く用いられている。
【０００３】
この種の煙感知器は、従来、煙を感知する煙検知手段を格納する暗箱にフックを設け、そのフックを電子部品を実装した回路基板に形成した穴に挿通して係止し、それにより暗箱を回路基板に取り付けていた（特許文献１参照）。
【０００４】
又、この種の煙感知器の場合、一般に、感知器ベースへの装着のための嵌合金具を備えているが、従来は、煙感知器の内部から挿通され、煙感知器の感知器ベース装着側の外部に貫通するネジを設け、そのネジと嵌合金具とを螺合させることにより嵌合金具を取り付けていた（特許文献２参照）。
【先行技術文献】
【特許文献】
【０００５】
【特許文献１】特開２００７−０１１６８４号公報
【特許文献２】特開平１１−３１２２８１号公報
【発明の概要】
【発明が解決しようとする課題】
【０００６】
前記の従来の煙感知器のように、暗箱を回路基板上にフックを穴に係止することにより取り付ける構造のものの場合、通常、回路基板の平面視の大きさは暗箱の平面視の大きさよりも大きく形成されており（特許文献１及び２参照）、回路基板の外縁が全長に亘って暗箱よりも外方に突出し、外力が回路基板の外縁に加わり易い構造のものとなっている。このため、組み立てに際し、暗箱を回路基板に取り付けた段階で回路基板の外縁に外力が加わると、その外力はフックと穴とからなる係止構造部分に大きく作用することになる。そして、フックと穴の数が少なかったり、それらの互いの接合部分に遊びがあったりすると、暗箱と回路基板との間に位置ずれが生じることがあるという問題があった。尚、暗箱と回路基板との間に位置ずれが生じるのを防ぐために、フックと穴の数を多く形成したり、互いの接合部分に遊びができないように形成したりすることが考えられる。しかしながら、そのようにした場合フックを穴に係止する作業が容易ではなくなる、また暗箱や回路基板の製造コストが高くなるという別の問題を生じさせることになる。
【０００７】
又、前記の従来の煙感知器のように、煙感知器の内部から挿通され、外部に貫通するネジに嵌合金具を螺合させる構造のものの場合、煙感知器の筐体部分を構成する各部品を組み付けてからでは嵌合金具を取り付けることができない。そのため組品になっていない複数の部品を同時に押さえながら、且つ、小さな部品である嵌合金具も同時に押さえながら、ネジを締める作業が必要であり、嵌合金具の取り付け作業が煩雑であるという問題があった。
【０００８】
この発明は、前記の事情に鑑み、組み立てに際し、暗箱と回路基板との間に位置ずれが生じるのを防ぐことができる煙感知器を提供することを目的とするものであり、又、嵌合金具の取り付けを容易に行うことができる煙感知器を提供することを目的とするものである。
【課題を解決するための手段】
【０００９】
この発明は、火災によって発生した煙を検出する検煙部を格納する暗箱を備えた煙感知器において、前記暗箱を構成する光学台に回路基板を収納する凹形状の回路基板収納部を設けたことを特徴とする煙感知器である。
【００１０】
尚、前記回路基板収納部は、前記光学台の裏面側に設けられたものとすることができる。
【００１１】
又、この発明は、前記光学台にナットを収納する凹形状のナット収納部を更に設けたことを特徴とする煙感知器である。
【００１２】
尚、前記ナット収納部は、前記光学台の裏面側に設けられたものとすることができる。
【００１３】
又、この発明は、前記回路基板収納部は、前記ナット収納部に収納されるナットを回路基板で覆うように回路基板を収納するものであることを特徴とする煙感知器である。
【００１４】
尚、前記ナットは、感知器ベースへの装着用の嵌合金具を取り付けるためのボルトと螺合するものとすることができ、前記ボルトは、感知器ベースへの装着側の外部から煙感知器内部に向けて挿通されて前記ナットに至るものとすることができ、更に、前記ボルトは、一方の端部側に嵌合金具が一体のものとして設けられたものとすることができる。
【発明の効果】
【００１５】
この発明によれば、暗箱を構成する光学台に設けた凹形状の回路基板収納部に回路基板を収納することができるので、組み立てに際し、回路基板の外縁部に外力が加わるのを回路基板収納部によって防ぐことができる。
【００１６】
従って、この発明によれば、組み立てに際し、暗箱と回路基板との間で位置ずれが生じるのを防ぐことができる煙感知器を提供することができる。
【００１７】
又、この発明によれば、暗箱を構成する光学台に設けたナット収納部にナットを収納することができるので、そのナットを感知器ベースへの装着用の嵌合金具を取り付けるためのボルトと螺合するものとすることができる。又、そのボルトを感知器ベースへの装着側の外部から煙感知器内部に向けて挿通されて前記ナットに至るものとすることができ、又、そのボルトを一方の端部側に嵌合金具が一体のものとして設けられたものとすることができる。つまり、暗箱を構成する光学台に設けたナット収納部にナットを収納することができることで、ボルトを煙感知器の外部から内部に挿通してナットと螺合させることにより嵌合金具の取り付けが可能な煙感知器を構成することができる。即ち、煙感知器の筐体部分を構成する各部品を組み付けた後でも嵌合金具の取り付けが可能な煙感知器を構成することができ、嵌合金具を取り付ける際に煙感知器の筐体部分を構成する複数の部品を同時に押さえることが不要な煙感知器を構成することができる。更に、ボルトを一方の端部側に嵌合金具が一体のものとして設けられたものとすれば、嵌合金具を取り付ける際に嵌合金具を同時に押さえることが不要な煙感知器を構成することができる。
【００１８】
従って、この発明によれば、組み立てに際し、嵌合金具の取り付けを容易に行うことができる煙感知器を提供することができる。
【図面の簡単な説明】
【００１９】
【図１】この発明の煙感知器の実施形態の一例を示し、煙感知器全体の斜視図である。
【図２】同上示し、煙感知器全体の分解斜視図である。
【図３】同上を示し、光学台及び回路基板の分解斜視図である。
【図４】同上を示し、光学台の裏面図である。
【図５】同上を示し、光学台の回路基板収納部に回路基板が収納された状態の光学台及び回路基板の裏面図である。
【図６】同上を示し、煙感知器全体の平面図である。
【図７】同上を示し、図６のＡ−Ａ線矢視断面図である。
【図８】同上を示し、図６のＢ−Ｂ線矢視断面図である。
【図９】同上の他の実施形態の一例を示し、図５に相当する裏面図である。
【発明を実施するための形態】
【００２０】
この発明の実施形態を図１乃至図９に基いて説明する。尚、以下の説明において、「上」、「下」等の位置又は方向を示す語を用いるが、何れも、図面上の位置又は方向に対応して相対的に用いたものであり、それらの位置又は方向は煙感知器の向きに応じて変わるものである。例えば、図１乃至図９は感知器カバー側を上に示し、感知器本体側を下に示しているが、煙感知器を天井面に設置する場合はその上下は逆に変わることになる。
【００２１】
先ず、この発明の煙感知器の実施形態の一例である煙感知器１全体の基本構成について説明する。尚、煙感知器１は、所謂露出型のものであり（この発明は所謂埋め込み型の煙感知器にも適用可能である。）、感知器ベース（取付ベースとも称される）を介して天井面や壁面等に取り付けられるものであるが、その感知器ベースの図示は省略してある。
【００２２】
煙感知器１は、火災発生時の煙を光学的に検知するタイプのものであり、感知器本体２と、各種電気部品が実装される回路基板３と、煙を光学的に検出するための検煙部を包囲し、上部に光学台カバー４ａが装着されて暗箱を構成するラビリンス部４ｂが表面側に設けられた光学台４と、ラビリンス部４ｂの周囲に装着される防虫網５と、検煙部への煙の流入口を有しつつ、上方から光学台４等を全体的に覆う感知器カバー６とからなる。尚、詳細は後記で説明するが、図８中、７は頭部に感知器ベースへの装着用の嵌合金具７ａが一体のものとして設けられたボルトであり、８はボルト７と螺合するナットである（図１及び図２参照）。
【００２３】
そして、煙感知器１は、光学台４に発光素子を収納する発光素子収納部４ｃと受光素子を収納する受光素子収納部４ｄとが設けられており（図３及び図４参照）、発光素子収納部４ｃ内の発光素子の光が検煙部内に流入する煙によって散乱することにより生じる散乱光を受光素子収納部４ｄ内の受光素子で検知することで煙を検知することができるようになっている。
【００２４】
次に、煙感知器１における回路基板３の光学台４への取り付け構造の詳細について説明する。
【００２５】
光学台４の裏面側（暗箱を構成するラビリンス部４ｂが設けられている側とは反対側）には、回路基板３を収納する凹形状の回路基板収納部４ｅが設けられている（図３、図７及び図８参照）。
【００２６】
ここで、煙感知器１は、光学台４に回路基板３を収納する回路基板収納部４ｅを備えていることで、暗箱が表面側に構成される光学台４に設けた凹形状の回路基板収納部４ｅに回路基板３を収納することができるようになっており、組み立てに際し、回路基板３の外縁部に外力が加わるのを回路基板収納部４ｅによって防ぐことができるようになっている。
【００２７】
つまり、煙感知器１は、光学台４に回路基板３を収納する回路基板収納部４ｅを備えていることで、組み立てに際し、光学台４の表面側に構成される暗箱と回路基板３との間で位置ずれが生じるのを防ぐことができるようになっている。
【００２８】
更に、煙感知器１における回路基板３の光学台４への取り付け構造について説明する。
【００２９】
回路基板収納部４ｅは、光学台４の裏面の下端周縁より下方に延出するように設けられた側壁４ｆを備えており、その側壁４ｆによって回路基板収納部４ｅの形状が全体として凹形状で且つ平面視の形状が回路基板３の平面視の形状に沿った形状に画定されている（図３乃至図５参照）。
【００３０】
ここで、回路基板収納部４ｅは、前記の通り、回路基板３を収納して回路基板３の外縁部に外力が加わるのを防ぐことのできるものとなっているが、具体的には側壁４ｆによってそのようにできるものとなっている。
【００３１】
更に、回路基板収納部４ｅは、下端に平坦面を有する台座部４ｇを備えている。この台座部４ｇを備えていることにより、回路基板収納部４ｅは、回路基板３を台座部４ｇによって水平状態に支持しつつ収納することができるようになっている。尚、本実施形態において、台座部４ｇは、側壁４ｆの内側に沿って平面視で略環状をなすように配されたものとなっている（図４及び図７参照）。又、側壁４ｆは、台座部４ｇの下端面から回路基板３の厚さだけ突出している。そのため、回路基板収納部４ｅに回路基板３を収納したとき、側壁４ｆの下端面と回路基板３とは面一になる。
【００３２】
回路基板３には、穴３ａが設けられており、又、光学台４には、その裏面に下方に延在するフック４ｈが設けられており、フック４ｈを穴３ａに挿通して係止させることにより、回路基板３を所定位置に位置させつつ、回路基板収納部４ｅに収納した状態で光学台４に取り付けることができるようになっている（図３、図５、図７及び図８参照）。尚、本実施形態においては、穴３ａ及びフック４ｈの数を２つとしているが、回路基板３に外力が加わるのを防ぐことができるので１つでも十分である。
【００３３】
光学台４の裏面には、発光素子収納部４ｃの下方部分と受光素子収納部４ｄの下方部分とが裏面から下方に延出するように設けられており、且つ、それら下方部分のそれぞれの下端に台座部４ｇと同じ高さに位置する平坦な下端面が設けられている（図３、図４、図７及び図８参照）。即ち、発光素子収納部４ｃの下端面と受光素子収納部４ｄの下端面とが台座部４ｇの下端面と共に回路基板３を支持することができるようになっており、回路基板３を安定して水平状態に支持することができるようになっている。又、本実施形態では、側壁４ｆを環状に形成しているが、そのうちの一部に直線状の回転止め４ｊを形成しているため、回路基板３にも回転止め４ｊに対応する位置を直線状とすることで回路基板３が正しい位置に支持される。
【００３４】
尚、本実施形態においては、後記で詳細に説明するが、光学台４の裏面にナット８を収納する凹形状のナット収納部９が設けられており、そのナット収納部９の周壁９ａの下端面も平坦、且つ台座部４ｇの下端面と同じ高さに位置するものとなっている（図３、図４及び図８参照）。即ち、台座部４ｇの下端面と、発光素子収納部４ｃの下端面と、受光素子収納部４ｄの下端面に加えて、ナット収納部９の周壁９ａの下端面によっても回路基板３を支持することができるようになっている。
【００３５】
又、本実施形態においては、回路基板収納部４ｅには、側壁４ｅを部分的に切り欠くように形成された切欠き部４ｉが設けられており、回路基板３には、外縁部に回路基板収納部４ｅの切欠き部４ｉよりその外方に露出するように形成された突出部３ｂが設けられている（図３乃至図５参照）。これにより、回路基板収納部４ｅに回路基板３を収納する際に、フック４ｈと穴３ａとの位置関係だけでなく、切欠き部４ｉと突出部３ｂとの位置関係によっても、回路基板収納部４ｅと回路基板３との位置合わせをすることができるようになっている。尚、これら切欠き部４ｉ及び突出部３ｂは、ナット収納部９に対応した数及び配置で設けられており、数の具体例としてはナット収納部９が４つ設けられている本実施形態においては４つずつ設けられている。
【００３６】
尚、本実施形態においては、前記の通り、回路基板収納部４ｅには切欠き部４ｉが形成され、切欠き部４ｉよりその外方に回路基板３の突出部３ｂが露出するものとなっており、回路基板３の突出部３ｂに外力が加わり得るものとなっているが、回路基板３の突出部３ｉはナット収納部９に対応して僅かな範囲で設けられたものであるに過ぎず、回路基板３の外縁のほとんどの部分は回路基板収納部４ｅの側壁４ｆによって保護されており、十分に回路基板３の外縁に外力が加わるのを防ぐことができるようになっている。
【００３７】
次に、煙感知器１における感知器ベースへの装着用の嵌合金具７ａの取り付け構造について説明する。
【００３８】
光学台４の裏面には、前記の通り、ナット８を収納する凹形状のナット収納部９が設けられている（図３、図４及び図８参照）。
【００３９】
ここで、煙感知器１は、ナット収納部９を備えていることで、嵌合金具７ａを容易に取り付けることができようにすることが可能なものとなっている。
【００４０】
即ち、煙感知器１は、ナット収納部９を備えていることで、ナット収納部９に収納されるナット８と螺合するボルトとして、本実施形態のボルト７のように、感知器ベースに装着される感知器本体２の裏面側の外部から内部に挿通されて回路基板３の穴３ｃを貫通してナットに至るものを用いることができるようになっており、又、感知器本体２の裏面側に嵌合金具７ａを取り付けるためのものを用いることができるようになっており、又、一方の端部側の一例である頭部に嵌合金具７ａを一体のものとして設けたものを用いることができるようになっている（図２、図３、図７及び図８参照）。
【００４１】
そして、煙感知器１は、ナット収納部９に収納されるナット８と螺合するものとしてボルト７を用いていることで、感知器本体２の裏面側の外部から内部に挿通してナット８と螺合させることで嵌合金具７ａを感知器本体２の裏面側に取り付けることができるようになっている。それにより、感知器本体２、回路基板３、光学台４、光学台カバー４ａ、防虫網５及び感知器カバー６等を組み付けて煙感知器１の筐体部分を構成する各部品を組品にした後でも嵌合金具７ａを取り付けることができるようになっている。そのため、筐体部分を構成する各部品を組品にした後に嵌合金具７ａを取り付けるようにすれば、嵌合金具７ａを感知器本体２に取り付ける際に筐体部分を構成する複数の部品を同時に押さえるのを不要にすることができる。加えて、ボルト７を一方の端部側に嵌合金具７ａを一体のものとして設けたものとしていることで、嵌合金具７ａを感知器本体２に取り付ける際に嵌合金具７ａ同時に押さえるのを不要にすることができるようになっており、ボルト７をナット８と螺合させるだけで嵌合金具を７を取り付けることができるようになっている。
【００４２】
つまり、煙感知器１は、ナット収納部９を備えていることで、組み立てに際し、ナット８を手で押さえなくとも、嵌合金具７ａを容易に取り付けることができようになっている。
【００４３】
尚、本実施形態においては、ボルト７と嵌合金具７ａとを一体のものとしているが、両者は別体のものとしてもよい。
【００４４】
更に、煙感知器１における嵌合金具７ａの取り付け構造について説明する。
【００４５】
ナット収納部９は、前記の通り、光学台４の裏面に設けられているが、具体的には、収納されるナット８が回路基板収納部４ｅに収納される回路基板３によって覆われる位置に設けられている（図３乃至図５参照）。又、ナット収納部９は、周壁９ａを備え、その周壁９ａによって全体として凹形状で且つ平面視の形状がナット８の平面視の形状（六角形）に沿った形状に画定されている（図３及び図４参照）。又、ナット収納部９は、収納されるナット８の下端面が周壁９ａの下端面と面一になるような深さを有するものとなっており、即ち、収納されるナット８を回路基板収納部４ｅに収納される回路基板３と共に上下から挟持することができるような深さを有するものとなっている（図８参照）。
【００４６】
つまり、ナット収納部９は、回路基板収納部４ｅに収納される回路基板３と協働して、ナット８を一定位置に保持することができるようになっており、ボルト７とナット８とを螺合させる際にボルト７を締め込むだけでボルト７とナット８とを螺合させることができるようになっている。
【００４７】
本実施形態において、ナット収納部９は、回路基板収納部４ｅ内の側壁４ｆに近接した位置に複数、具体的には４つ設けられているが（図４参照）、その数及び配置は適宜変更することができる。
【００４８】
尚、ナット収納部９において、９ｂはボルト７の先端部が進入することができるように形成された受け穴であり、ナット８とボルト７とを螺合させる際にボルト７の先端部が受け穴９ｂ内に進入することにより、ナット８とボルト７とを確実に螺合させることができるようになっている。
【００４９】
[その他の実施形態]
以上、この発明の実施形態の一例を説明したが、この発明は上記の実施形態に限定されるものではなく、この発明の要旨の範囲内で種々の変更等が可能である。
【００５０】
例えば、回路基板収納部４ｅに切欠き部４ｉを設けるのに代えて、回路基板収納部４ｅに切欠き部４ｉを設けずに回路基板３の外縁を全長に亘って側壁４ｆによって保護するようにしてもよい（図９参照）。そのようにした場合、回路基板３の外縁に外力が加わるのをより防ぐことができるようになるだけでなく、回路基板収納部４ｅ内において光学台４の裏面と回路基板３の表面との間に形成される空間を閉鎖するように構成することができるようになり、回路基板３の表面上に実装される各種部品の腐食を防ぐように構成することができる。
【符号の説明】
【００５１】
１：煙感知器  ２：感知器本体  ３：回路基板  ３ａ：穴（フック用）
３ｂ：突出部  ３ｃ：穴（ボルト用）  ４：光学台  ４ａ：光学台カバー
４ｂ：ラビリンス部  ４ｃ：発光素子収納部  ４ｄ：受光素子収納部
４ｅ：回路基板収納部  ４ｆ：側壁  ４ｇ：台座部  ４ｈ：フック
４ｉ：切欠き部  ４ｊ：回転止め  ５：防虫網  ６：感知器カバー
７：ボルト  ７ａ：嵌合金具  ８：ナット  ９：ナット収納部  ９ａ：周壁
９ｂ：受け穴
【図１】
2014197274.tif 000003
【図２】
2014197274.tif 000004
【図３】
2014197274.tif 000005
【図４】
2014197274.tif 000006
【図５】
2014197274.tif 000007
【図６】
2014197274.tif 000008
【図７】
2014197274.tif 000009
【図８】
2014197274.tif 000010
【図９】
2014197274.tif 000011